(57)【要約】【課題】  記録媒体に記録されている動画データを再生した部分から圧縮記録処理を行ない、再生データについて全て圧縮記録処理が完了するまでに、圧縮前の動画データの記録領域を解放し得る情報記録装置を提供する。【解決手段】  情報記録装置２０は、チューナ１０を介してユーザが選局した放送の信号をＡＤＣ２１でデジタル変換し、符号化部２２で符号化された番組データを一定単位に分割した分割動画データを固定ディスク２４に記録する分割記録制御部２３と、分割動画データを復号化してＤＡＣ２８を介してモニタ３０に出力する再生制御部２５と、再生制御部２５によって復号化された分割動画データを圧縮した圧縮分割データを固定ディスク２４に記録する圧縮制御部２６と、分割動画データの記録位置に代えて圧縮分割データの記録位置が参照されるように固定ディスク２４に格納されている参照情報を更新する消去制御部２７とを備える。【選択図】  図１
2006050531.tif 000002
【特許請求の範囲】
【請求項１】
動画ストリームを構成する動画データと、動画ストリームとして読み出すために参照され、動画データの記録位置を示す参照情報とを記録している記録媒体から動画データを読み出して圧縮する情報記録装置であって、
動画ストリームの一部を読み出す読出し手段と、
前記読出し手段により読み出された一部の動画データを圧縮した圧縮動画データを前記記録媒体に記録する圧縮記録手段と、
圧縮記録手段が前記圧縮動画データを記録する際に、前記一部の動画データの記録位置に代えて前記圧縮動画データの記録位置が参照されるように前記参照情報を更新する更新手段とを備える
ことを特徴とする情報記録装置。
【請求項２】
前記記録媒体に記録されている動画ストリームは、複数の分割動画データで構成され、前記参照情報は、各分割動画データの記録位置と共に当該記録位置の参照順序も示しており、
前記読出し手段に読み出される一部の動画データは、いずれかの前記分割動画データであり、
前記更新手段は、前記圧縮記録手段により前記いずれかの分割動画データを圧縮した圧縮動画データを記録する際、当該分割動画データの記録位置に代えて当該圧縮動画データの記録位置が参照されるように前記参照情報を更新する
ことを特徴とする請求項１記載の情報記録装置。
【請求項３】
前記分割動画データは、当該分割動画データの複製に係る認証先を含む複製情報を含んでおり、
前記情報記録装置は、更に、
前記読出し手段により読み出された前記分割動画データに前記複製情報が含まれている場合に、当該分割動画データの複製に関する認証の要求を当該複製情報に含まれている認証先に送信し、当該認証先から前記要求に対する応答を受信する認証要求手段と、
前記認証要求手段により受信された前記応答に応じて、前記圧縮記録手段による圧縮動画データの記録を制御する圧縮記録制御手段とを備えること
を特徴とする請求項２記載の情報記録装置。
【請求項４】
前記情報記録装置は、更に、
前記記録媒体の空き容量が閾値以下であるか否かを判定する容量判定手段と、
外部から取得した動画ストリームを構成する動画データと、前記参照情報とを前記記録媒体に記録する記録手段とを備え、
前記記録手段が前記動画ストリームを記録中に、前記容量判定手段により閾値以下であると判定された場合に、前記読出し手段、前記圧縮記録手段、及び前記更新手段は、当該動画ストリームの動画データを前記一部の動画データとする
ことを特徴とする請求項１記載の情報記録装置。
【請求項５】
前記分割動画データは複数種類のうち一の番組の一部又は全部を含み、前記分割動画データは当該分割動画データに含まれる番組の種類を示す種別情報を含んでおり、
前記圧縮記録手段は、前記読出し手段により読み出された前記分割動画データの種別情報に応じて圧縮率を変えて当該分割動画データを圧縮すること
を特徴とする請求項２記載の情報記録装置。
【請求項６】
前記分割動画データは更新を要する動画データを含んでおり、
前記読出し手段は、更に、前記一部の動画データを読み出したときに、当該動画データに更新を要するデータが含まれているか否かを判定し、判定結果が肯定的である場合に、更新のための更新データを外部から取得する更新データ取得部を備え、
前記圧縮記録手段は、前記更新を要するデータを前記更新データ取得部により取得された更新データに置換えた後、当該一部の動画データを圧縮した圧縮動画データを記録すること
を特徴とする請求項２記載の情報記録装置。
【請求項７】
プログラムを実行可能な装置に、動画ストリームを構成する動画データと、動画ストリームとして読み出すために参照され、動画データの記録位置を示す参照情報とを記録している記録媒体から動画データを圧縮して記録する圧縮記録処理を実行させるための制御プログラムであって、
前記圧縮記録処理は、
動画ストリームの一部を読み出す読出しステップと、
前記読出し手段により読み出された前記一部の動画データを圧縮した圧縮動画データを前記記録媒体に記録する圧縮記録ステップと、
圧縮記録手段が前記圧縮動画データを記録する際に、前記一部の動画データの記録位置に代えて前記圧縮動画データの記録位置が参照されるように前記参照情報を更新する更新ステップとを含む
ことを特徴とする制御プログラム。
【発明の詳細な説明】
【技術分野】
【０００１】
本発明は、情報記録装置に関し、特に、動画データを圧縮して記録する装置に関する。
【背景技術】
【０００２】
従来、ユーザによって選局されたアナログ放送の信号を受信し、受信した信号をデジタル変換して符号化した番組データを、ハードディスク等の記録媒体に記録できる録画装置が提供されている。
また、記録媒体における記録領域の制限を考慮し、再生の際に、その再生済の録画データを録画時のビットレートより低いビットレートで圧縮し、記録媒体に記録する記録再生方法が提案されている（特許文献１参照）。
【０００３】
この記録再生方法によれば、ある番組の全ての再生データを圧縮する処理が完了した後には、その圧縮されたデータを再生できるようになり、圧縮前の録画データの記録領域を解放することができるので、ディスクの記録領域を有効に利用することができる。
【特許文献１】特開２００３−３３９０１６号公報
【発明の開示】
【発明が解決しようとする課題】
【０００４】
しかし、この記録再生方法の場合、圧縮の処理が全て完了するまで待たなければ、圧縮前の録画データを消去できないので当該録画データの記録領域を解放することができない。従って、例えば、ある番組を録画しながら録画した最初の部分から再生する、いわゆるタイムシフト再生を行なう場合、圧縮の途中で録画データの記録領域を解放することができない。
【０００５】
本発明は、上記問題に鑑みてなされたものであり、圧縮処理の完了を待たずに圧縮前の番組データの記録領域を空き領域として解放し得る情報記録装置を提供することを目的とする。
【課題を解決するための手段】
【０００６】
上記課題を解決するために、本発明に係る情報記録装置は、動画ストリームを構成する動画データと、動画ストリームとして読み出すときに参照され、動画データの記録位置を示す参照情報とを記録している記録媒体から動画データを読み出して圧縮する情報記録装置であって、動画ストリームの一部を読み出す読出し手段と、前記読出し手段により読み出された一部の動画データを圧縮した圧縮動画データを前記記録媒体に記録する圧縮記録手段と、圧縮記録手段が前記圧縮動画データを記録する際に、前記一部の動画データの記録位置に代えて前記圧縮動画データの記録位置が参照されるように前記参照情報を更新する更新手段とを備えることを特徴とする。
【発明の効果】
【０００７】
この構成によれば、再生された部分の番組データを圧縮して記録する毎に、圧縮後の番組データが、圧縮前の番組データに代えて読み出されるように参照情報を更新しているため、圧縮前の番組データは再生時には参照されないものとなる。従って、その圧縮前の番組データの記録領域を新たな記録領域とし、その領域に他の番組データを上書きしたとしても問題は生じないので、圧縮して記録する際に、圧縮前の番組データの記録領域を記録可能な領域、つまり空き領域として解放することができる。
【０００８】
また、前記記録媒体に記録されている動画ストリームは、複数の分割動画データで構成され、前記参照情報は、各分割動画データの記録位置と共に当該記録位置の参照順序も示しており、前記読出し手段に読み出される一部の動画データは、いずれかの前記分割動画データであり、前記更新手段は、前記圧縮記録手段により前記いずれかの分割動画データを圧縮した圧縮動画データを記録する際、当該分割動画データの記録位置に代えて当該圧縮動画データの記録位置が参照されるように前記参照情報を更新することとしてもよい。
【０００９】
この構成によれば、情報記録装置は番組データを予め分割して記録しているので、分割単位に圧縮して記録し、圧縮して記録する度に圧縮前の分割データに代えて圧縮後のデータが読み出されるように参照情報を更新し、分割データ毎に記録領域を空き領域として解放することができる。
また、前記分割動画データは、当該分割動画データの複製に係る認証先を含む複製情報を含んでおり、前記情報記録装置は、更に、前記読出し手段により読み出された前記分割動画データに前記複製情報が含まれている場合に、当該分割動画データの複製に関する認証の要求を当該複製情報に含まれている認証先に送信し、当該認証先から前記要求に対する応答を受信する認証要求手段と、前記認証要求手段により受信された前記応答に応じて、前記圧縮記録手段による圧縮動画データの記録を制御する圧縮記録制御手段とを備えることとしてもよい。
【００１０】
この構成によれば、番組データを受信した際に、その番組の複製を認証する認証先、いわゆる著作権者等の情報が含まれている場合には、再生した番組データについて複製の認証要求をその認証先に送信し、その要求に対する認証先からの応答を受信することができる。従って、例えば、コピーフリーの応答が得られた場合は、ユーザに選択させた圧縮率で圧縮して記録し、コピーワンスの応答が得られた場合は、低いビットレートで圧縮して元の番組データを消去する等の処理を行なうことができる。
【００１１】
また、前記情報記録装置は、更に、前記記録媒体の空き容量が閾値以下であるか否かを判定する容量判定手段と、外部から取得した動画ストリームを構成する動画データと、前記参照情報とを前記記録媒体に記録する記録手段とを備え、前記記録手段が前記動画ストリームを記録中に、前記容量判定手段により閾値以下であると判定された場合に、前記読出し手段、前記圧縮記録手段、及び前記更新手段は、当該動画ストリームの動画データを前記一部の動画データとすることとしてもよい。
【００１２】
この構成によれば、例えば、番組を録画中に記録媒体の空き領域が予め定めた容量以下になった場合、記録媒体に記録されている再生済みの番組データのいずれかを圧縮して記録し、その番組データの記録領域を空き領域として解放することができる。
また、前記分割動画データは複数種類のうち一の番組の一部又は全部を含み、前記分割動画データは当該分割動画データに含まれる番組の種類を示す種別情報を含んでおり、前記圧縮記録手段は、前記読出し手段により読み出された前記分割動画データの種別情報に応じて圧縮率を変えて当該分割動画データを圧縮することとしてもよい。
【００１３】
この構成によれば、例えば、本編とＣＭのデータが含まれている番組データを分割して記録する場合、分割データ毎に本編かＣＭを示すコンテンツ情報を記録することができるので、再生した分割データのコンテンツ情報がＣＭであれば、その分割データを高い圧縮率で圧縮することができ、ＣＭ部分のデータ領域をより少なくして空き領域を増やすことができる。
【００１４】
また、前記分割動画データは更新を要する動画データを含んでおり、前記読出し手段は、更に、前記一部の動画データを読み出したときに、当該動画データに更新を要するデータが含まれているか否かを判定し、判定結果が肯定的である場合に、更新のための更新データを外部から取得する更新データ取得部を備え、前記圧縮記録手段は、前記更新を要するデータを前記更新データ取得部により取得された更新データに置換えた後、当該一部の動画データを圧縮した圧縮動画データを記録することとしてもよい。
【００１５】
この構成によれば、例えば、録画した番組データにＣＭデータが含まれており、そのＣＭの提供元を示す情報が番組データに含まれている場合、その提供元から最新のＣＭデータを取得することができ、元のＣＭデータに替えて最新のＣＭデータを再生し、最新のＣＭデータに置換えられて再生された番組データを圧縮して記録することができる。従って、ユーザは、再生する度に最新の情報を視聴することができ、ＣＭ提供者はユーザが再生する度に最新の情報を提供することができる。
【発明を実施するための最良の形態】
【００１６】
＜実施形態１＞
以下、本発明に係る情報記録装置について説明する。
＜概要＞
情報記録装置は、放送される番組のデータ（以下「番組データ」と言う。）を外部から受信し、符号化した当該番組データを一定量単位に分割した分割データを固定ディスクに記録している。また、情報記録装置は、当該番組の再生時に再生順序に従って各分割データが読み出されるように、当該固定ディスクの特定の領域に各分割データの記録位置及び分割データの再生順序を示すリンク情報を記録している。
【００１７】
ここで、リンク情報は、固定ディスクの記録領域を管理する情報であり、情報記録装置が固定ディスクにデータを記録する際、及び読み出す際に参照され、リンク情報に記録されていない記録領域を記録可能な領域、つまり空き領域として扱うものとする。
情報記録装置は、ユーザから固定ディスクに記録されている番組データを再生する指示を受付けると、リンク情報を参照して指示された番組データに係る分割データを固定ディスクから順次読出して復号化し、モニタに出力する。また、情報記録装置は、復号化された分割データを元のデータサイズより小さくなるように圧縮して固定ディスクの空き領域に記録し、当該記録時に、圧縮前の分割データの記録位置に代えて圧縮後の分割データの記録位置が参照されるようにリンク情報を更新する。
【００１８】
＜構成＞
図１は本発明に係る情報記録装置２０の構成図である。以下、同図を用いて情報記録装置２０の構成について詳細に説明する。
情報記録装置２０は、ＡＤＣ２１、符号化部２２、分割記録制御部２３、固定ディスク２４、再生制御部２５、圧縮制御部２６、消去制御部２７、及びＤＡＣ２８で構成されている。
【００１９】
ＡＤＣ２１は、アナログデジタルコンバータであり、チューナ１０を介して受信した放送の信号をデジタル信号に変換する機能を有する。尚、受信した放送の信号には、ユーザによって選局された放送番組と電子番組表を示す信号が含まれているものとする。
符号化部２２は、ＡＤＣ２１によってデジタル信号に変換された番組データを符号化して分割記録制御部２３に送出する機能を有する。尚、ここでの符号化方式はＭＰＥＧを用いることとし、後述の予め設定された符号化情報のビットレートで符号化するものとする。
【００２０】
分割記録制御部２３は、符号化された番組データを図示しない記録用バッファに受付け、記録用バッファ容量の番組データを一つの分割データとして、後述するリンク情報２００を参照し、固定ディスク２４の空き領域に分割データを記録する機能を有する。また、番組の再生順序となるように、番組毎に各分割データの記録位置をリンク情報に登録する機能を有する。
【００２１】
固定ディスク２４は、ハードディスク、DVD（DigitalVersatileDisc）などの記録媒体で構成される。
再生制御部２５は、ユーザから固定ディスク２４に記録された番組データの再生指示を受付け、指示された番組の分割データをリンク情報に従って図示しない読出し用バッファに読み出し、読出し用バッファ内に受付けた分割データを分割データ単位に復号化する機能を有する。また、復号分割データをＤＡＣ２８に出力する機能と、復号分割データとその記録位置を示す情報を圧縮制御部２６へ送出する機能を有する。
【００２２】
圧縮制御部２６は、再生制御部２５から復号分割データを受付け、復号分割データのビットレートより低いビットレートで当該復号分割データを圧縮し、圧縮した圧縮分割データを固定ディスク２４に記録する機能を有する。
ここで、圧縮は、予め設定された後述する符号化情報のビットレートのうち、対象となる分割データを一旦、復号化し、復号化前のビットレートより低いビットレートで再度、符号化を行ない、分割データのサイズを小さくする処理である。ここでの符号化方式としてＭＰＥＧを用いるが、元の分割データのサイズより小さくなるような符号化方式であれば他の符号化方式を用いることとしてもよい。  また、当該圧縮分割データの記録位置（以下、「圧縮後記録位置」と言う）と圧縮前の分割データの記録位置（以下、「圧縮前記録位置」と言う）を示す情報を消去制御部２８に送出する機能を有する。
【００２３】
消去制御部２７は、圧縮前の分割データに係る番組のリンク情報において、圧縮前記録位置を圧縮後記録位置に置換える機能を有している。
ＤＡＣ２８は、デジタルアナログコンバータであり、再生制御部２５から送出された復号分割データをアナログ変換してモニタ３０に出力する機能を有する。
また、モニタ３０は、液晶ディスプレイ等で構成されており、ＤＡＣ２８から送出される復号分割データを表示する機能を有する。
＜データ＞
以下、情報記録装置２０の内部に記憶されているテーブルデータについて図２を用いて説明する。
【００２４】
図２(ａ)は、符号化部２２が番組データを符号化する際、及び圧縮制御部２６が分割データを圧縮する際に参照される符号化情報５０の構成と内容例を示している。
同図に示す様に、符号化情報５０は符号化レベル５１及びビットレート５２を対応付けて記録されている。
ここで、符号化レベル５１は、符号化及び圧縮のレベルを表しており、ビットレート５２は、符号化及び圧縮のビットレートを示している。
【００２５】
符号化情報５０は、予め固定ディスク２４、もしくは図示しない共有ROM等のメモリに記録されており、受信した番組データを符号化する際に符号化部２２によって読み出され、また、再生制御部25が復号化した分割データを圧縮制御部２６が圧縮する際に読み出される。
図２(ｂ)は、ＡＤＣ２１によってデジタル変換され、符号化部２２によって符号化された番組データを、分割記録制御部２３が一定量単位に分割して記録した各分割データ、及び圧縮制御部２６により圧縮された圧縮分割データのヘッダ情報１００の構成と内容例を示している。
【００２６】
同図に示す様に、ヘッダ情報１００は、各分割データ及び圧縮分割データのＩＤ１１０、圧縮回数１２０、及び符号化レベル１３０を対応づけて記録されている。
ここで、ＩＤ１１０は、各分割データ及び圧縮分割データを一意に識別するための識別子であり、分割記録制御部２３及び圧縮制御部２６が分割データ、圧縮分割データを生成して記録する度に付される。
【００２７】
圧縮回数１２０は、分割データ及び圧縮分割データが圧縮制御部２６によって圧縮された回数を示している。
また、符号化レベル１３０は、分割データ及び圧縮分割データが、符号化部２２又は圧縮制御部２６によって符号化又は圧縮された場合における符号化情報５０の符号化レベル５１の値を示している。
【００２８】
当該ヘッダ情報１００は、分割記録制御部２３が分割データを記録する度に分割データ毎に生成され、圧縮制御部２６が復号分割データを圧縮する際に読み出され、圧縮分割データを記録する毎に生成される。
図２(ｃ)は、固定ディスク２４に記録されている各番組データのリンク情報２００の構成と内容例を示しており、同図に示す様に、リンク情報２００は番組名２１０、データ２２０、視聴フラグ２３０、及び記録位置２４０を対応付けて記録されている。
【００２９】
番組名２１０は、ユーザによって録画指示された番組の番組名を電子番組表から取得したものを示している。
データ２２０は、番組名２１０に対応する各分割データ及び圧縮分割データを示しており、これらは説明の便宜の為のものである。
視聴フラグ２３０は、番組名２１０に対応するデータ２２０の各分割データ及び圧縮分割データが、再生制御部２５によって固定ディスク２４から読み出され、再生されたか否かの状態を示している。
【００３０】
記録位置２４０は、データ２２０の各分割データ及び圧縮分割データの固定ディスク２４におけるアドレス位置を示しており、番組の再生順となるように各分割データの記録位置をリスト構造で接続しているものとする。
尚、この図においては、各番組名に対応するデータの上から順に再生される順序とする。
【００３１】
リンク情報２００は、分割記録制御部２３が分割データを記録するときに分割記録制御部２３によって更新され、また、圧縮制御部２６が圧縮分割データを記録したときに消去制御部２７によって更新される。
＜動作＞
以下、上述した構成を備える情報記録装置２０の動作について説明する。
【００３２】
情報記録装置２０は、外部からチューナ１０を介して符号化対象の番組データの入力を受付けて符号化し、分割記録制御部２３により符号化された番組データを一定量単位に分割して固定ディスク２４に記録する分割記録処理を行なう。
図３は、分割記録制御部２３による分割記録処理を示すフローチャートである。以下、同図に即して分割記録制御部２３の動作を説明する。
【００３３】
分割記録制御部２３は、ユーザから録画の指示を受付けると（ステップS５１）、リンク情報２００を読出し、番組データと共に受信した電子番組表から取得した録画番組名をリンク情報２００に登録する（ステップS５２）。
また、符号化部２２によって符号化された番組データを記録用バッファに受付け、分割データのヘッダ情報１００を生成する(ステップS５３)。分割記録制御部２３は、記録用バッファ内に受付けた番組データのサイズが記録用バッファ容量以内であるか否かを判断し（ステップS５４）、記録用バッファ容量を超えない場合は符号化部２２から番組データを更に受付け（ステップS５４:Y）、バッファ容量を超える場合は分割データのエンド情報を生成し（ステップS５５）、当該ヘッダ情報及びエンド情報が付加された番組データを分割データとして固定ディスク２４に記録する。更に、固定ディスク２４に記録する際に、当該分割データの固定ディスク２４における記録位置を再生順となるように、リンク情報２００の番組名２１０と対応付けて登録する（ステップS５６）。
【００３４】
上述の固定ディスク２４に記録された分割データを対象に、ユーザから再生指示がなされた場合における動作について、図４のフローチャートを用いて説明する。
情報記録装置２０は、固定ディスク２４に記録されている録画番組名の選択をユーザから受付け(ステップS１１)、選択された番組名のリンク情報２００を固定ディスク２４から読み出す (ステップS１２)。
【００３５】
再生制御部２５は読み出されたリンク情報２００に基づいて選択された番組名の分割データを順次読み出して再生する再生処理を行なう(ステップS１３)。
圧縮制御部２６は、再生制御部２５による再生処理と並行して再生制御部２５が再生処理を行なった分割データを圧縮して固定ディスク２４に記録する圧縮記録処理を行い(ステップS１４)、消去制御部２７は、圧縮制御部２６が圧縮して記録する時に、圧縮前記録位置を圧縮後記録位置に置換えてリンク情報を更新するリンク情報更新処理を行なう(ステップＳ１５)。
【００３６】
以下、上述の各処理について図５、図６、図７を用いて詳細に説明する。
図５は、再生制御部２５の再生処理を示すフローチャートである。
再生制御部２５は、リンク情報２００に基づき、再生を指示された番組名に対応する分割データを読出し用バッファに読み出し(ステップS２１)、読出し用バッファに読み出された分割データを分割データ単位に復号化し、復号分割データをＤＡＣ２８を介してモニタ３０に出力する(ステップS２２)。
【００３７】
続いて、再生制御部２５は、復号化された分割データのリンク情報２００の視聴フラグ２３０を１に更新し（ステップS２３）、復号化された分割データのヘッダ情報１００と復号分割データを圧縮制御部２６に送出する（ステップS２４）。
図６は、圧縮制御部２６の圧縮記録処理を示すフローチャートである。
圧縮制御部２６は、再生制御部２５から復号対象となる分割データのヘッダ情報１００と復号分割データとを受け付けると（ステップS３１）、符号化情報５０を読み出し、ヘッダ情報１００の符号化レベル１３０のビットレートより低いビットレートの符号化レベルを選択する（ステップS３２）。
【００３８】
続いて、選択した符号化レベルのビットレートで復号分割データを圧縮し（ステップＳ３３）、圧縮分割データの圧縮回数１２０及び符号化レベル１３０を設定したヘッダ情報１００を生成する（ステップＳ３４）。
ステップＳ３４に続いて、圧縮制御部２６は、圧縮分割データと圧縮分割データのヘッダ情報１００を固定ディスク２４に記録し（ステップＳ３５）、圧縮前分割データのヘッダ情報１００と圧縮分割データのヘッダ情報１００を消去制御部２７に送出する（ステップＳ３６）。
【００３９】
図７は、消去制御部２７のリンク情報更新処理を示すフローチャートである。
消去制御部２７は、図６のステップS３６において圧縮制御部２６から送出された分割データのヘッダ情報１００と圧縮分割データのヘッダ情報１００を受け付けると（ステップS４１）、固定ディスク２４からリンク情報２００を読み出し、分割データの記録位置２４０等が記録されている部分を圧縮分割データの記録位置等の情報に置き換える（ステップＳ４２）。
【００４０】
上述のリンク情報更新処理により、ステップＳ４２によって置き換えられた分割データが記録されている領域は、固定ディスク２４の記録領域において空き領域として扱われ、新たに分割データ及び圧縮分割データを記録することができる。
＜動作例＞
図２及び図８の例を用いて上述した各動作を図５、図６、図７のフローチャートに即して説明する。
【００４１】
尚、図８は、リンク情報２００(図２(ｃ))の番組名２１０に格納されている番組１を再生する指示が、ユーザによりなされた場合における固定ディスク２４の記録領域の変化を示す図である。同図(ａ)(ｂ)(ｃ)の矩形３００、３０１、３０２は固定ディスク２４を各々表しており、同図(ａ)の未再生データは、図２(ｃ)のリンク情報２００のデータ２２０に記録されている各データを示している。
【００４２】
図５において、再生制御部２５は、ユーザから番組１を再生する指示を受け付けると、番組１のリンク情報２００を読み出し、指示された番組１のデータ１−１から順に読出し用バッファに読み出す（ステップS２１）。
続いて再生制御部２５は、読出し用バッファに読み出された分割データ１−１を復号化し、復号化したデータ１−１をＤＡＣ２８を介してモニタ３０に出力する(ステップS２２)。
【００４３】
ステップS２２に続いて再生制御部２５は、番組１のリンク情報２００におけるデータ１−１の視聴フラグ２３０を１に更新し（ステップＳ２３）、データ１−１に対応するヘッダ情報１０１と、復号化したデータ１−１を圧縮制御部２６に送出する（ステップS２４）。
ユーザから再生終了の指示があるまでデータ１−２から１−４についても同様に再生処理を行なう。
【００４４】
次に、図６において、圧縮制御部２６は、再生制御部２５からデータ１−１に対応するヘッダ情報１０１と復号化したデータ１−１を受け付けると（ステップS３１）、符号化情報５０を読出し、データ１−１の符号化レベル１のビットレートより低いビットレートである符号化レベル２を選択する（ステップS３２）。
ステップS３２に続いて圧縮制御部２６は、選択した符号化レベル２のビットレート４Ｍｂｐｓで復号化したデータ１−１を圧縮し（ステップS３３）、圧縮回数を１、符号化レベル２を設定した圧縮データ１−１のヘッダ情報を新たに生成する（ステップS３４）。
【００４５】
圧縮制御部２６は、圧縮データ１−１と新たに生成した圧縮データ１−１のヘッダ情報を固定ディスク２４に記録し（ステップS３５）、データ１−１のヘッダ情報１０１と新たに生成したヘッダ情報を対応づけて消去制御部２７に送出する（ステップS３６）。
図７において、消去制御部２７は、圧縮制御部２６からデータ１−１のヘッダ情報１０１(図２(ｂ))と、圧縮されたデータ１−１のヘッダ情報を受け付けると(ステップS４１)、リンク情報２００の番組１のデータ１−１における記録位置を、圧縮したデータ１−１の記録位置に置換えてリンク情報を更新する（ステップS４２）。
【００４６】
データ１−２もデータ１−１と同様に上述の処理を続けて行ない、データ１−３が再生処理中である場合、図８の様にデータ１−１及び１−２については圧縮データ１−１及び１−２が固定ディスク２４に記録され、データ１−１及び１−２が空き領域３２０となる。
また、データ１−３及び１−４についても再生処理、圧縮処理、リンク情報更新処理が完了すると、図８(ｃ)の様に、データ１−１から１−４の記録領域を空き領域３２５として扱う。
＜実施形態２＞
受信した番組データに、当該番組の複製を認証する認証先を示すコピー認証先情報が付加されている場合において、当該番組データの複製を認証する要求をコピー認証先情報に基づいて送信し、認証先による認証の有無に応じて、再生処理がなされた分割データの圧縮記録処理を行なう実施形態について説明する。
【００４７】
図９は、本実施形態における情報記録装置２０の構成を示している。
同図に示す様に、情報記録装置２０は図１の構成に加えコピー認証要求部２９、ＬＡＮインタフェース４０で構成されており、ＬＡＮインタフェース４０を介して外部サーバ４１に接続することができる。
ここで、コピー認証要求部２９は、コピー認証先情報に基づいて分割データの内容に対する複製の認証要求を、ＬＡＮインタフェース４０を介して外部サーバ４１に送出する機能と、外部サーバ４１から当該認証要求に対する返答情報を受取り、圧縮制御部２６に当該返答情報を送出する機能を有する。
【００４８】
尚、受信した番組データにはＵＲＬで表したコピー認証先情報が付加されているものとし、分割記録制御部２３は、番組データを分割した分割データを記録する毎に、当該番組データのコピー認証先情報を付加したヘッダ情報１００を生成し、当該ヘッダ情報１００及び分割データを固定ディスク２４に記録しているものとする。
＜動作＞
以下、上述のコピー認証要求部２９が、コピー認証先情報に基づいて認証要求処理を行なう動作について図１０を用いて説明する。
【００４９】
再生制御部２５は、固定ディスク２４からユーザによって指示された番組名に係る分割データとヘッダ情報を読出し、コピー認証要求部２９にヘッダ情報を送出する。
コピー認証要求部２９は、再生制御部２５からヘッダ情報を受付けると（ステップＳ６１）、当該ヘッダ情報にコピー認証先情報が含まれているか否かを判断する(ステップＳ６２)。
【００５０】
ステップＳ６２において、コピー認証先情報が含まれていると判断すると(ステップＳ６２:Ｙ)、コピー認証先情報に基づいて、認証先に複製の認証を要求するコピー認証要求を外部サーバ４１にＬＡＮ  ＩＦ４０を介して送信する(ステップS６３)。
続いて、コピー認証要求部２９が外部サーバ４１から複製を認証するコピー認証を受信した場合(ステップＳ６４:Ｙ)、コピー認証要求部２９はユーザから当該分割データの符号化レベル５１(図２(ａ))の選択を受付け(ステップＳ６６)、受付けた符号化レベル５１で圧縮する指示を圧縮制御部２６に送出する。
【００５１】
また、ステップＳ６４において、コピー認証要求部２９が外部サーバ４１からコピーワンス等の複製を認証しないことを示す情報を受信した場合(ステップＳ６４:Ｎ)、当該分割データの符号化レベルのビットレートより低いビットレートの符号化レベルで圧縮して記録する指示を圧縮制御部２６へ送出する(ステップＳ６５)。
以上、本発明に係る情報記録装置について説明したが、上述した実施形態１の変形例について、以下説明する。
＜変形例１＞
実施形態１では、再生処理した分割データを圧縮対象とする実施形態について説明したが、分割記録制御部２３が番組データを記録中に記録領域が閾値以下になった場合、固定ディスク２４に記録されたデータの中から圧縮するデータを特定し、圧縮記録処理及びリンク情報更新処理を行なうこととしてもよい。
【００５２】
この場合、分割記録制御部２３は固定ディスク２４の記録領域が閾値以下であるか否かを判定し、分割記録制御部２３が閾値以下であると判定した場合に圧縮記録制御部２６へその旨の判定結果を送出する。
圧縮制御部２６は、分割記録制御部２６から判定結果を受け付けると、リンク情報２００を読出し、視聴フラグ２３０が１のデータ２２０の圧縮分割データを対象として各圧縮分割データのヘッダ情報１００と符号化情報５０を読出し、例えば、各圧縮分割データの符号化レベル１３０が５に該当しない圧縮分割データを圧縮対象として特定し、選択した圧縮分割データについて圧縮記録処理を行なう。
【００５３】
尚、圧縮分割データを圧縮対象とする場合に、符号化レベルが５に該当しない圧縮分割データのうち、圧縮回数が少ない圧縮分割データを優先的に圧縮対象として特定してもよい。
＜変形例２＞
実施形態１では、圧縮制御部２６は再生制御部２５によって復号された復号分割データをヘッダ情報１００の符号化レベル１３０のビットレートより低いビットレートの符号化レベルで圧縮することとしているが、分割データに含まれる番組の種類に応じて符号化レベルを変えて圧縮することとしてもよい。
【００５４】
例えば、分割データに含まれる音声信号の属性がステレオであるものをＣＭ等の非本編と認定し、音声信号の属性がモノラル音声であるものを本編と認定する場合において、分割データに本編が含まれていれば当該分割データの番組の種類を本編に設定する。
この場合、分割記録制御部２３は、各分割データのヘッダ情報に各分割データが本編か非本編であるかを示すコンテンツ情報を付加して記録する。また、コンテンツ情報が本編か非本編であるかによって符号化のビットレートを予め設定しているものとし、非本編である場合のビットレートは本編の場合より低いビットレートが設定されていることとする。
【００５５】
尚、分割記録制御部２３は、番組データの本編に対応する区間と非本編に対応する区間別に分割して記録してもよい。
以下、圧縮制御部２６が、再生制御部２５から復号対象となる分割データのヘッダ情報を受付けたときに、ヘッダ情報のコンテンツ情報に基づいて符号化レベルを設定する圧縮率設定処理について、図１１を用いて説明する。
【００５６】
圧縮制御部２６は、再生制御部２５から復号対象となる分割データのヘッダ情報を受付ける(ステップＳ７１)。
続いて、圧縮制御部２６は、受取ったヘッダ情報からコンテンツ情報を読出し(ステップＳ７２)、コンテンツ情報が本編であるか否かを判断する(ステップＳ７３)。
ステップＳ７３において、圧縮制御部２６が本編であると判断した場合(ステップＳ７３:Ｙ)、本編用の圧縮率を設定し(ステップＳ７４)、本編でないと判断した場合(ステップＳ７３:Ｎ)、圧縮記録処理を中断し(ステップＳ７５)、非本編用の圧縮率を設定して当該圧縮率で圧縮処理を再開し、圧縮制御部２６は再生制御部２５に再起動する旨の信号を送出する（ステップＳ７６）。復号分割データを非本編用の圧縮率で圧縮して記録する処理が終了するまで非本編用の圧縮率を設定し(ステップＳ７７:N)、非本編用の圧縮率で復号分割データの圧縮処理が終了した場合は(ステップＳ７７:Ｙ)、本編用の圧縮率に設定する(ステップＳ７４)。
＜補足＞
以上、本発明に係る画像符号化装置について実施形態１、２に基づいて説明したが、本発明は上述の実施形態で示した情報記録装置に限られないことは勿論である。
（１）上述した実施形態では、圧縮を圧縮制御部２６で行なっているが、圧縮方式として符号化部２２と同じ符号化を行う場合には、符号化部２２を使用する構成としてもよい。この場合、再生制御部２５は分割復号データを符号化部２２に転送し、符号化部２２は入力をＡＤＣ２１出力から再生制御部２５出力に切り換え、圧縮のための符号化をおこなう。処理ブロックの共有化により、ハードウェアコストを削減することができる。
（２）上述した実施形態では、受信して符号化した番組データを一定単位に分割して固定ディスク２４に記録することとしているが、番組データを一定単位に分割せずに固定ディスク２４に記録することとしてもよい。
【００５７】
例えば、再生制御部２５がある番組の一部分を再生する場合、固定ディスク２４からその部分の番組データを読み出し、読み出した際に読み出した部分の記録開始位置と記録終了位置をメモリに記憶させておく。圧縮制御部２６は、再生制御部２５によって復号化された当該部分の番組データについて圧縮記録処理を行い、圧縮記録処理の際に圧縮された番組データのヘッダ情報を生成する。消去制御部２７は、メモリ上の記録開始位置に代えて圧縮後の番組データの記録位置が読み出され、圧縮後の番組データが読み出された後にメモリ上の記録終了位置を読み出すようにリンク情報を生成する。
（３）また、情報記録装置２０が外部から取得した番組データに更新を要するデータ、例えばＣＭが含まれている場合において、そのＣＭの提供元を示す情報が当該番組データに付加されているとき、当該番組データを再生する際にその提供元から最新データを取得し、最新のＣＭデータに置換えて再生処理を行なうこととしてもよい。
【００５８】
この場合、分割記録制御部２３は、上述の変形例２と同様に番組データがＣＭであるかＣＭ以外の本編であるかによって、ＣＭに対応する区間と本編に対応する区間に番組データを分けて記録し、コンテンツ情報を各分割データのヘッダ情報に付加して記録する。
再生制御部２５は、固定ディスク２４から読み出した分割データのヘッダ情報のコンテンツ情報がＣＭである場合には、そのＣＭの提供元から最新のＣＭデータを取得し、当該分割データを取得した最新データに置換えて再生処理を行なう。
【００５９】
圧縮制御部２６は、再生制御部２５によって最新データに置換えられて復号化された分割データを受付け、復号化された分割データについて圧縮記録処理を行なう。
（４）上述した実施形態では、番組データの分割単位は記録用バッファの容量単位としているが、バッファの容量以外の容量単位の番組データ、もしくは、一定時間毎に記録用バッファに受付けた番組データを分割データとしてもよい。
（５）また、上述した実施形態では、再生制御部２５によって復号化された分割データを圧縮する場合のビットレートは、当該分割データの符号化レベルのビットレートより一つ符号化レベルを上げたビットレートで圧縮しているが、元のビットレートより低いビットレートであればどの符号化レベルで圧縮してもよいし、また、ユーザから符号化レベルの選択を受付けてもよい。
（６）上述した変形例１では、分割記録制御部２３が分割データを記録中に固定ディスク２４の記録領域が閾値以下になった場合、圧縮制御部２６は再生済みの圧縮分割データか記録している番組の記録済分割データを圧縮対象として特定しているが、記録用バッファに受付けた番組データを圧縮対象として特定してもよい。この場合、圧縮対象として特定された番組データを、符号化部２２によって符号化される場合のビットレートより低いビットレートで圧縮し、当該番組データのヘッダ情報の圧縮回数を1に設定することとしてもよい。
（７）また、実施形態では、圧縮した圧縮分割データを全て固定ディスク２４へ記録することとしているが、ＤＶＤなどの可搬デバイスに記録することとしてもよい。この場合、記録する可搬デバイスの情報をリンク情報に付加しておくものとする。また、コピーワンス等のコピー制御情報が付加された番組データの場合、元の番組データの圧縮率より高い圧縮率で圧縮して可搬デバイスに記録し、元の番組データを消去する。
（７）情報記録装置における各処理（図３、図５、図６、図７参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ等がある。流通、頒布されたプログラムはプロセッサに読み出され得るメモリ等に格納されることにより利用に供され、そのプロセッサがそのプログラムを実行することにより実施形態で示した情報記録装置の機能が実現されるようになる
【産業上の利用可能性】
【００６０】
本発明に係る情報記録装置は、ハードディスクレコーダ、ＤＶＤレコーダ等に搭載され利用され得る。
【図面の簡単な説明】
【００６１】
【図１】情報記録装置２０の構成図である。
【図２】(ａ)は符号化情報の構成及び内容例を示す図であり、(ｂ)は圧縮分割データのヘッダ情報の構成と内容例を示す図であり、（ｃ）は各番組データのリンク情報２００の構成と内容例を示す図である。
【図３】分割記録制御部フ２３による分割記録処理を示すフローチャートである。
【図４】番組データを分割して固定ディスク２４に記録された情報記録装置２０の動作を示す図である。
【図５】再生制御部２５による再生処理を示すフローチャートである。
【図６】圧縮制御部２６による圧縮記録処理を示すフローチャートである。
【図７】消去制御部２７によるリンク情報更新処理を示すフローチャートである。
【図８】情報記録装置２０が再生処理、圧縮処理、リンク情報更新処理を行なった場合の固定ディスク２４の記録領域における変化を示す図である。
【図９】本発明に係る実施形態２の情報記録装置２０の構成を示す図である。
【図１０】コピー認証要求部２９による認証処理を示すフローチャートである。
【図１１】分割データがコンテンツ情報を有する場合の圧縮制御部による圧縮利率設定処理を示すフローチャートである。
【符号の説明】
【００６２】
１０  チューナ
２０  情報記録装置
２１  ＡＤＣ
２２  符号化部
２３  分割記録制御部
２４  固定ディスク
２５  再生制御部
２６  圧縮制御部
２７  消去制御部
２８  ＤＡＣ
２９  コピー認証要求部
３０  モニタ
４０  ＬＡＮインタフェース
４１  外部サーバ
【図１】
2006050531.tif 000003
【図２】
2006050531.tif 000004
【図３】
2006050531.tif 000005
【図４】
2006050531.tif 000006
【図５】
2006050531.tif 000007
【図６】
2006050531.tif 000008
【図７】
2006050531.tif 000009
【図８】
2006050531.tif 000010
【図９】
2006050531.tif 000011
【図１０】
2006050531.tif 000012
【図１１】
2006050531.tif 000013